(57)【特許請求の範囲】
【請求項１】
表示部を備えた機器ケースと、
この機器ケースの上側開口部に取り付けられた保護ガラスと、
前記機器ケースの上側外周部に設けられて前記保護ガラスの外周部を覆うガラス受け部材と、
このガラス受け部材で覆われた前記保護ガラスの外周部の下側に位置する箇所における前記機器ケース内に設けられて前記保護ガラスの下面に向けて光を照射する光源と、
この光源の上方に位置する箇所を除いて前記保護ガラスの下面にその周囲に沿ってサークル状に設けられた光拡散層と、
を備えていることを特徴とする電子機器。
【請求項２】
前記光源の上方に位置する箇所の前記保護ガラスと前記ガラス受け部材との間に設けられて前記光源からの光を前記保護ガラス内に向けて反射する反射層を備えていることを特徴とする請求項１に記載の電子機器。
【請求項３】
前記光拡散層は、前記表示部の表示領域を除いて、前記ガラス受け部材で覆われる視野領域外から前記ガラス受け部材で覆われない視野領域内に亘る前記保護ガラスの下面に設けられていることを特徴とする請求項１または２に記載の電子機器。
【請求項４】
前記光拡散層は、前記ガラス受け部材で覆われる視野領域外のみにおける前記保護ガラスの下面に設けられていることを特徴とする請求項１または２に記載の電子機器。
【請求項５】
前記ガラス受け部材は、前記保護ガラスの外周部の上面を覆って前記機器ケースの上面に設けられた光透過性を有する樹脂ベゼルと、この樹脂ベゼルを覆って前記機器ケースの上側外周部に設けられ、且つ前記樹脂ベゼルの一部に対応する箇所に光透過孔が設けられた金属ベゼルと、を備えていることを特徴とする請求項１〜４のいずれかに記載の電子機器。
【請求項６】
前記ガラス受け部材で覆われない視野領域内における前記表示部の前記表示領域外に位置する箇所には、加飾層がサークル状に設けられていることを特徴とする請求項１〜５のいずれかに記載の電子機器。
【請求項７】
前記ガラス受け部材で覆われない視野領域内に位置する所定箇所には、ロゴマークを表す装飾層が設けられていることを特徴とする請求項１〜６のいずれかに記載の電子機器。
【発明の詳細な説明】
【技術分野】
【０００１】
この発明は、照明機能を備えた腕時計などの電子機器に関する。
【背景技術】
【０００２】
従来、腕時計においては、特許文献１に記載されているように、腕時計ケース内に設けられた時刻表示部を光源で照明する場合、光源からの光を透明な腕時計ケース内に採り込み、この採り込んだ光を透明な腕時計ケース内で導いて時刻表示部の上側に位置する箇所の腕時計ケースの内周面から放出させることにより、時刻表示部を周囲から照明するように構成したものがある。
【特許文献１】特開２００４−６９５５３号
【発明の開示】
【発明が解決しようとする課題】
【０００３】
しかしながら、このような従来の腕時計では、腕時計ケースが光源からの光を採り込んで時刻表示部の上側に位置する箇所の腕時計ケースの内周面から放出させるために、腕時計ケースを透明な樹脂で形成する必要があるほか、光源からの光を腕時計ケース内に採り込む箇所および採り込んだ光を腕時計ケースの内側に放出する箇所を除いて、腕時計ケースの全表面に反射層を形成する必要があり、このため腕時計ケースが材質の制約を受けるばかりか、腕時計ケースの構造も複雑で、製作コストが高くなるという問題がある。
【０００４】
この発明が解決しようとする課題は、表示部を周囲から照明することができると共に、機器ケースが材質の制約を受けず、構造も簡単で、機器全体の低価格化を図ることができる電子機器を提供することである。
【課題を解決するための手段】
【０００５】
この発明は、上記課題を解決するために、次のような構成要素を備えている。
請求項１に記載の発明は、表示部を備えた機器ケースと、この機器ケースの上側開口部に取り付けられた保護ガラスと、前記機器ケースの上側外周部に設けられて前記保護ガラスの外周部を覆うガラス受け部材と、このガラス受け部材で覆われた前記保護ガラスの外周部の下側に位置する箇所における前記機器ケース内に設けられて前記保護ガラスの下面に向けて光を照射する光源と、この光源の上方に位置する箇所を除いて前記保護ガラスの下面にその周囲に沿ってサークル状に設けられた光拡散層と、を備えていることを特徴とする電子機器である。
【０００６】
請求項２に記載の発明は、前記光源の上方に位置する箇所の前記保護ガラスと前記ガラス受け部材との間に設けられて前記光源からの光を前記保護ガラス内に向けて反射する反射層を備えていることを特徴とする請求項１に記載の電子機器である。
【０００７】
請求項３に記載の発明は、前記光拡散層が、前記表示部の表示領域を除いて、前記ガラス受け部材で覆われる視野領域外から前記ガラス受け部材で覆われない視野領域内に亘る前記保護ガラスの下面に設けられていることを特徴とする請求項１または２に記載の電子機器である。
【０００８】
請求項４に記載の発明は、前記光拡散層が、前記ガラス受け部材で覆われる視野領域外のみにおける前記保護ガラスの下面に設けられていることを特徴とする請求項１または２に記載の電子機器である。
【０００９】
請求項５に記載の発明は、前記ガラス受け部材が、前記保護ガラスの外周部の上面を覆って前記機器ケースの上面に設けられた光透過性を有する樹脂ベゼルと、この樹脂ベゼルを覆って前記機器ケースの上側外周部に設けられ、且つ前記樹脂ベゼルの一部に対応する箇所に光透過孔が設けられた金属ベゼルと、を備えていることを特徴とする請求項１〜４のいずれかに記載の電子機器である。
【００１０】
請求項６に記載の発明は、前記ガラス受け部材で覆われない視野領域内における前記表示部の前記表示領域外に位置する箇所に、加飾層がサークル状に設けられていることを特徴とする請求項１〜５のいずれかに記載の電子機器である。
【００１１】
請求項７に記載の発明は、前記ガラス受け部材で覆われない視野領域内に位置する所定箇所に、ロゴマークを表す装飾層が設けられていることを特徴とする請求項１〜６のいずれかに記載の電子機器である。
【発明の効果】
【００１２】
この発明によれば、光源で発光した光が下側から保護ガラスに入射すると、この入射した光が保護ガラスの周囲に沿ってサークル状に設けられた光拡散層によって拡散反射されることにより、保護ガラス内に入射した光を保護ガラスの周囲に沿って導きながら、光拡散層の内周端とガラス受け部材の内周端とに対応する位置における保護ガラスの上下面から放出することができるので、機器ケース内の表示部をその周囲から良好に照明することができ、これにより機器ケースが材質の制約を受けず、構造も簡単で、機器全体の低価格化を図ることができる。
【発明を実施するための最良の形態】
【００１３】
（実施形態１）
以下、図１〜図６を参照して、この発明を腕時計に適用した実施形態１について説明する。
この腕時計は、図１および図２に示すように、腕時計ケース１を備えている。この腕時計ケース１の上側開口部には、図２に示すように、時計ガラス２がパッキン３を介して取り付けられており、この腕時計ケース１の下部には、下側開口部を塞ぐための裏蓋４が防水リング５を介して取り付けられている。また、この腕時計ケース１の内部には、時計モジュール６が収容されている。
【００１４】
この場合、腕時計ケース１の上部外周には、図２に示すように、後述するガラス受け部材であるベゼル７が時計ガラス２の上側外周部を覆って設けられている。また、時計ガラス２と時計モジュール６との間における腕時計ケース１の内周部には、図２および図３に示すように、見切り板８がベゼル７の内周端よりも内周側に突出した状態で設けられている。また、時計モジュール６は、図２に示すように、上部ハウジング１０と下部ハウジング１１とを備えており、この上部ハウジング１０と下部ハウジング１１との間には、図２および図３に示すように、ＬＳＩなどの電子部品１２ａを搭載した回路基板１２が設けられている。
【００１５】
また、この時計モジュール６の上部ハウジング１０内には、表示部１３が設けられている。この表示部１３は、時刻などの情報を電気光学的に表示するものであり、液晶表示素子やＥＬ（エレクトロルミネセンス）表示素子、電子ペーパなどの平面型の表示素子からなり、インターコネクタ１３ａによって回路基板１２上に電気的に接続された状態で支持され、その上部に位置する周縁部、つまり外周端から表示領域の外周までの部分が見切り板８によって覆われている。この表示部１３の下面には、表示部１３の下面を照明するためのバックライト装置１４が設けられている。
【００１６】
ところで、時計ガラス２の上側部外周部を覆う箇所のベゼル７の下側に位置する上部ハウジング１０の周縁部における所定箇所、つまり上部ハウジング１０の周縁部における１２時側と６時側とに対応する箇所には、図２および図３に示すように、光源収納部１０ａが設けられている。この上部ハウジング１０の光源収納部１０ａには、光源１５が設けられている。この光源１５は、ＬＥＤ（発光ダイオード）や豆電球などからなり、上部ハウジング１０の光源収納部１０ａ内に配置された状態で回路基板１２と電気的に接続され、発光したときに、その光を見切り板８に設けられた貫通孔８ａを通して時計ガラス２の下面に向けて照射するように構成されている。
【００１７】
この場合、時計ガラス２の下面における周縁部には、図１〜図３に示すように、光源１５の上方に位置する箇所を除いて、光拡散層１６が時計ガラス２の周囲に沿ってサークル状に設けられている。この光拡散層１６は、照射された光を拡散反射する白色系のインク層であり、図３および図４に示すように、時計ガラス２の下面に印刷によってほぼ四角い枠状に設けられている。この場合、光拡散層１６は、図１〜図４に示すように、表示部１３の表示領域を除いて、ベゼル７で覆われる視野領域外からベゼル７で覆われない視野領域内に亘って設けられている。
【００１８】
すなわち、ベゼル７で覆われる視野領域外とは、図２に示すように、ベゼル７の内周端よりも外周側に位置する領域であり、ベゼル７で覆われない視野領域内とは、ベゼル７の内周端で囲われる領域であり、表示部１３の表示領域とは、時刻などの情報を表示するための領域であり、見切り板８の内周端によって囲われる領域に対応する。これにより、光拡散層１６は、図１〜図３に示すように、時計ガラス２の外周端からベゼル７の内周端よりも少し内周側に突出した位置に亘って時計ガラス２の下面に設けられている。この光拡散層１６における光源１５の上方に位置する箇所には、図３および図４に示すように、光を透過させるための開口部１６ａが設けられている。
【００１９】
また、時計ガラス２とベゼル７との間には、図３および図４に示すように、光源１５からの光を時計ガラス２内に向けて反射する反射層１７が光源１５に対応して設けられている。この反射層１７は、アルミニウム箔またはベゼル７の下面（つまり後述する樹脂ベゼル２０の下面）にアルミニウムなどの金属を蒸着した蒸着膜であり、図３および図４に示すように、光源１５に対応する１２時側と６時側とに位置する時計ガラス２の両端側の上面にそれぞれ帯状に設けられている。この場合、反射層１７は、光拡散層１６と対応する箇所におけるベゼル７で覆われる視野領域外のみに設けられている。
【００２０】
さらに、時計ガラス２の下面におけるベゼル７で覆われない視野領域内には、図１〜図４に示すように、装飾層１８が設けられている。この装飾層１８は、文字、記号、図形などのロゴマークを表すものであり、図３および図４に示すように、ベゼル７で覆われない視野領域内における光拡散層１６の内周端よりも内周側で、且つ表示部１３の表示領域外に位置する箇所に設けられている。
【００２１】
ところで、腕時計ケース１の上側外周部に設けられたベゼル７は、図２〜図４に示すように、時計ガラス２の外周部の上面を覆って腕時計ケース１の上面に設けられた光透過性を有する樹脂ベゼル２０と、この樹脂ベゼル２０を覆って腕時計ケース１の上側外周面に設けられた金属ベゼル２１とを備えている。樹脂ベゼル２０は、図１〜図４に示すように、１２時側と６時側とにおける腕時計ケース１の上部に配置される２つの部材からなり、そのそれぞれの断面形状がほぼ山形状をなし、全体が平面的に見てそれぞれほぼ「コ」字形状に形成されている。
【００２２】
この場合、樹脂ベゼル２０は、図２〜図４に示すように、その下面が反射層１７よりも広く形成され、時計ガラス２の外周部の上面を覆って配置され、光源１５からの光が反射層１７を除く箇所、つまり反射層１７の外周側から入射するように構成されている。この場合、樹脂ベゼル２０における左右両側（図４では前後方向の両側）の上部に円柱状の突起部２０ａがそれぞれ斜め上方に向けて突出して設けられている。また、金属ベゼル２１は、図３および図４に示すように、２つの樹脂ベゼル２０を一度に覆うと共に、腕時計ケース１の上部側の外周側面をも覆うほぼ枠形状に形成されている。この金属ベゼル２１には、樹脂ベゼル２０の突起部２０ａが嵌入して樹脂ベゼル２０内の光が透過する光透過孔２１ａが設けられている。
【００２３】
次に、図５に示すブロック図を参照して、この腕時計の回路構成について説明する。
この回路構成は、回路全般を制御するＣＰＵ（中央演算処理装置）２５、予め定められたプログラムが格納されたＲＯＭ（リードオンリーメモリ）２６、処理データを格納するＲＡＭ（ランダムアクセスメモリ）２７、ＣＰＵ２５を動作させるためのパルスを生成する発信回路２８、この発信回路２８で生成したパルスを適正な周波数（ＣＰＵ２５を動作させるための適正な周波数）に変換する分周回路２９、情報を表示するための表示部１３、この表示部１３を駆動するための表示駆動回路３０、光源１５を発光させるための光源駆動回路３１、腕時計ケース１の傾きを検出する傾斜スイッチ３２を備えている。
【００２４】
次に、図６に示す動作フローを参照して、この腕時計における光源発光動作処理について説明する。
この光源発光動作処理は、腕時計の各種のモードのうち、光源１５を発光させるモードを選択した状態で、腕時計ケース１の傾きに応じて傾斜スイッチ３２から出力されるスイッチ信号に基づいて光源１５をフラッシュ発光させる処理である。この光源発光動作処理がスタートすると、腕時計ケース１が傾いて傾斜スイッチ３２がオンしたか否かを判断し（ステップＳ１）、傾斜スイッチ３２がオンしていなければ、腕時計ケース１が傾いて傾斜スイッチ３２がオンするまで待機する。
【００２５】
このステップＳ１で、腕時計ケース１が傾いて傾斜スイッチ３２がオンすると、傾斜スイッチ３２がオンした回数のカウントを開始し（ステップＳ２）、傾斜スイッチ３２が１０回オンしたか否かを判断し（ステップＳ３）、傾斜スイッチ３２が１０回オンしていなければ、ステップＳ１に戻り、傾斜スイッチ３２が１０回オンするまで、上記動作を繰り返す。また、ステップＳ３で傾斜スイッチ３２が１０回オンしたときには、光源１５をフラッシュ発光させて（ステップＳ４）、光源発光モードが切り替わった否かを判断し（ステップＳ５）、光源発光モードが切り替わるまで、ステップＳ１〜Ｓ４までの動作を繰り返し、光源発光モードが切り替わると、このフローを終了する。
【００２６】
このような腕時計では、腕時計ケース１内の光源１５が発光し、その光が見切り板８の貫通孔８ａおよび光拡散層１６の開口部１６ａを通して時計ガラス２の外周部側の下面に向けて照射されると、この照射された光が時計ガラス２内に入射し、この入射した光が時計ガラス２の上面に到達すると、この上面に到達した光が時計ガラス２の上面に設けられた反射層１７によって時計ガラス２内に向けて反射され、この反射された光が時計ガラス２の下面に到達すると、この下面に到達した光が時計ガラス２の下面にサークル状に設けられた光拡散層１６によって拡散反射される。
【００２７】
これにより、時計ガラス２内に採り込まれた光が、サークル状に設けられた光拡散層１６によって拡散反射されることにより、時計ガラス２の周囲に沿って導かれながら、光拡散層１６の内周端およびベゼル７の内周端に位置する部分における時計ガラス２の上下面からサークル状に放出され、この放出された光によって時計モジュール６の表示部１５をその周囲から照明することができる。
【００２８】
このように、この腕時計によれば、光源１５からの光によって時計モジュール６の表示部１５をその周囲から良好に照明することができるほか、光源１５の上方に位置する箇所を除く時計ガラス２の下面にその周囲に沿って光拡散層１６をサークル状に設けると共に、光源１５の上方に位置する箇所における時計ガラス２の外周部の上面を覆って腕時計ケース１の上側外周部にベゼル７を設け、このベゼル７と時計ガラス２との間に反射層１７を設けた構成であるから、腕時計ケース１が材質の制約を受けず、構造も簡単で、時計全体の低価格化を図ることができる。
【００２９】
この場合、ベゼル７と時計ガラス２との間に設けられた反射層１７によって、時計ガラス２の上面に到達した光を確実に且つ効率良く時計ガラス２内に向けて反射させることができるので、時計ガラス２の上面側に光が漏れるのを抑制することができ、これにより光拡散層１６の内周端およびベゼル７の内周端に位置する部分における時計ガラス２の上下面から放出される光量を増大させることができると共に、時計ガラス２の上下面から放出される光の輝度を高めることができるので、表示部１５をその周囲から明るく照明することができる。
【００３０】
また、時計ガラス２の下面には、表示部１３の表示領域を除いて、光拡散層１６がベゼル７で覆われる視野領域外からベゼル７で覆われない視野領域内に亘ってサークル状に設けられていることにより、光源１５で発光して反射層１７で反射された光を時計ガラス２の周囲に沿って効率良く導くことができると共に、時計ガラス２の周囲に沿って導かれた光を光拡散層１６によってサークル状に放出することができる。このとき、時計ガラス２の周囲に沿って導かれた光がベゼル７で覆われない視野領域内に位置する部分の光拡散層１６によって表示部１３の外周側を、より一層、明るく発光させることができ、これによりデザイン的にも装飾的にも好ましいものを得ることができる。
【００３１】
また、この腕時計では、ベゼル７が、時計ガラス２の外周部の上面を覆って腕時計ケース１の上面に設けられた光透過性を有する透明な樹脂ベゼル２０と、この樹脂ベゼル２０を覆って腕時計ケース１の上側外周部に設けられ、且つ樹脂ベゼル２０の一部に対応する箇所に光透過孔２１ａが設けられた金属ベゼル２１とを備えているので、光源１５からの光が時計ガラス２の周囲に沿って導かれる際、時計ガラス２の上面に到達した一部の光を反射層１７の外周側から透明な樹脂ベゼル２０内に入射させることができる。これにより、樹脂ベゼル２０内に入射した光を樹脂ベゼル２０の突起部２０ａを通して金属ベゼル２１の光透過孔２１ａから腕時計ケース１の外部に放出させることができるので、金属ベゼル２１の光透過孔２１ａを発光させることができ、これにより光による装飾効果が得られるので、装飾性を高めることができる。
【００３２】
また、この腕時計では、傾斜スイッチ３２を備えており、この傾斜スイッチ３２で腕時計ケース１の傾きを検出し、その検出回数をカウントして所定回数（例えば１０回）になったときに、光源１５をフラッシュ発光させることにより、表示部１３の外周側をサークル状に明るくフラッシュ発光させることができると共に、ベゼル７における金属ベゼル２１の光透過孔２１ａをも同時にフラッシュ発光させることができる。このため、腕時計を腕に取り付けてダンスを踊る際、そのダンスの動きに応じて腕時計ケース１が傾くことにより、ダンスの動作に応じて光源１５をフラッシュ発光させることができる。
【００３３】
さらに、この腕時計では、ベゼル７で覆われない視野領域内に位置する時計ガラス２の上面に文字、記号、図形などのロゴマークを表す装飾層１８が設けられているので、時計ガラス２の周囲に沿って導かれた光によって表示部１３の外周側がサークル状に発光する際、その光によって文字、記号、図形などのロゴマークである装飾層１８を明るく照明することができると共に、この装飾層１８を浮き上がるように表現することができる。
【００３４】
なお、上記実施形態１では、時計ガラス２とベゼル７との間に反射層１７を設けた場合について述べたが、必ずしも時計ガラス２とベゼル７との間に反射層１７を設ける必要はない。この場合には、腕時計ケース１内の光源１５が発光し、その光が見切り板８の貫通孔８ａおよび光拡散層１６の開口部１６ａを通して時計ガラス２の外周部側の下面に向けて照射されると、この照射された光が時計ガラス２内に入射して時計ガラス２の上面に到達すると、時計ガラス２の上面またはベゼル７の下面で全反射されるので、必ずしも反射層１７を設けなくても、実施形態１と同様、時計ガラス２内に採り込まれた光を、サークル状に設けられた光拡散層１６によって、時計ガラス２の周囲に沿って導かれながら、光拡散層１６の内周端およびベゼル７の内周端に位置する部分における時計ガラス２の上下面からサークル状に放出することができる。
【００３５】
（実施形態２）
次に、図７〜図９を参照して、この発明を腕時計に適用した実施形態２について説明する。なお、図１〜図６に示された実施形態１と同一部分には同一符号を付して説明する。
この腕時計は、時計ガラス２の下面におけるベゼル７で覆われる視野領域外のみに光拡散層３５をサークル状に設けると共に、時計ガラス２の下面におけるベゼル７で覆われない視野領域内で且つ表示部１３の表示領域外に加飾層３６をサークル状に設けた構成であり、これ以外は実施形態１とほぼ同じ構成になっている。
【００３６】
すなわち、光拡散層３５は、図７および図８に示すように、ベゼル７で覆われる視野領域外において、時計ガラス２の外周端からベゼル７の内周端に対応する箇所に亘って時計ガラス２の下面に設けられ、これによりベゼル７で覆われて腕時計ケース１の外部から見えないように構成されている。この場合にも、光拡散層３５には、光源１５に対応する箇所に光を透過させるための開口部３５ａが設けられている。また、加飾層３６は、光透過性を有するカラーインクからなり、時計ガラス２の下面におけるベゼル７で覆われない視野領域内で且つ表示部１３の表示領域外に印刷によって設けられている。
【００３７】
この場合、加飾層３６は、光が透過または反射する際、特定波長の光、例えば赤波長、青波長、緑波長などの可視光線領域内のいずれかの波長を選択するものであり、光拡散層３５の内周端およびベゼル７の内周端に位置する時計ガラス２の上下面から放出された光が照射されることにより、この照射された光の波長を選択して、照射された光を有色光として加飾するように構成されている。また、文字、記号、図形などのロゴマークを表す装飾層１８は、ベゼル７で覆われない視野領域内に位置する加飾層３６の下面に印刷によって設けられている。
【００３８】
このような腕時計においても、実施形態１と同様、腕時計ケース１内の光源１５が発光し、その光が見切り板８の貫通孔８ａおよび光拡散層３５の開口部３５ａを通して時計ガラス２の外周部側の下面に向けて照射されると、この照射された光が時計ガラス２内に入射し、この入射した光が時計ガラス２の上面に到達すると、この上面に到達した光が時計ガラス２の上面に設けられた反射層１７によって時計ガラス２内に向けて反射され、この反射された光が時計ガラス２の下面に到達すると、この下面に到達した光が時計ガラス２の下面にサークル状に設けられた光拡散層３５によって拡散反射される。
【００３９】
これにより、時計ガラス２内に採り込まれた光は、サークル状に設けられた光拡散層３５によって拡散反射されることにより、時計ガラス２の周囲に沿って導かれながら、光拡散層３５の内周端およびベゼル７の内周端に位置する部分における時計ガラス２の上下面から放出され、この放出された光が加飾層３６に照射され、この照射された光の波長が加飾層３６によって選択されて赤、青、緑などの有色光として発光し、この有色光によって時計モジュール６の表示部１５をその周囲から照明することができる。
【００４０】
この場合、光拡散層３５は、ベゼル７で覆われる視野領域外に位置する箇所の時計ガラス２の下面に設けられていることにより、光拡散層３５の内周端およびベゼル７の内周端に位置する部分における時計ガラス２の上下面から光をサークル状に放出することができると共に、時計ガラス２の下面に光拡散層３５を設けても、この光拡散層３５がベゼル７で覆われて腕時計ケース１の外部から見えないので、外観的にもデザイン的にも好ましいものを得ることができる。
【００４１】
また、ベゼル７で覆われない視野領域内における表示部１３の表示領域外に位置する時計ガラス２の下面に加装層３６がサークル状に設けられていることにより、この加飾層３６に光が照射されると、この照射された光の波長、例えば赤波長、青波長、緑波長などの可視光線領域内のいずれかの波長を加飾層３６によって選択し、これにより照射された光を加飾層３６によって赤、青、緑などのいずれかの色の有色光として加飾することができるので、この加飾された有色光によって時計モジュール６の表示部１５をその周囲から照明することができる。
【００４２】
このため、加飾層３６によって加飾された有色光によって、ベゼル７で覆われない視野領域内に位置する加飾層３６の下面に設けられた文字、記号、図形などのロゴマークを表す装飾層１８に色彩をもたせて照明することができると共に、この加飾層３６によって加飾された有色光によって装飾層１８に色彩をもたさせて浮き上がるように表現することができるので、より一層、光による装飾効果を高めることができる。
【００４３】
なお、上記実施形態２では、ベゼル７で覆われない視野領域内に位置する加飾層３６の下面に装飾層１８を設けた場合について述べたが、これに限らず、例えばベゼル７で覆われない視野領域内に位置する加飾層２６に対応する箇所の時計ガラス２の下面に装飾層１８を設けても良い。このように構成すれば、加飾層３６の上面に装飾層１８が設けられているので、加飾層３６で加飾された有色発光によって、装飾層１８を実施形態２の場合よりも更に鮮明に表現することができる。
【００４４】
（実施形態３）
次に、図１０〜図１２を参照して、この発明を腕時計に適用した実施形態３について説明する。この場合には、図７〜図９に示された実施形態２と同一部分に同一符号を付して説明する。
この腕時計は、加飾層３６の内周端よりも内周側に位置する箇所の時計ガラス２の下面に文字、記号、図形などのロゴマークを表す装飾層１８を設けた構成であり、これ以外は実施形態２とほぼ同じ構成になっている。この場合には、装飾層１８は、表示部１３の表示領域内に位置し、且つ表示部１３で表示される情報の邪魔にならない位置に対応する時計ガラス２の下面に設けられている。
【００４５】
このような腕時計においても、実施形態２と同様、時計ガラス２内に採り込まれた光が、光拡散層３５によって時計ガラス２の周囲に沿って導かれながら、光拡散層３５の内周端およびベゼル７の内周端に位置する部分において時計ガラス２の上下面からサークル状に放出され、この放出された光が加飾層３６によって有色光として加飾され、この加飾された有色光により時計モジュール６の表示部１５をその周囲から照明することができると共に、表示部１３の表示領域内に対応する箇所に設けられた文字、記号、図形などのマークを表す装飾層１８を加飾層３６で加飾された有色光によって照明して浮き上がるように表現することができ、これによっても光による装飾効果を高めることができる。
【００４６】
（実施形態４）
次に、図１３〜図１５を参照して、この発明を腕時計に適用した実施形態４について説明する。この場合にも、図７〜図９に示された実施形態２と同一部分に同一符号を付して説明する。
この腕時計は、時計ガラス２と時計モジュール６との間に配置された見切り板８の上面に加飾層３６を設けた構成であり、これ以外は実施形態２とほぼ同じ構成になっている。
【００４７】
この場合、見切り板８は、腕時計ケース１の内周面からベゼル７で覆われない視野領域内の内周側に突出した状態で、腕時計ケース１内の時計モジュール６上に配置されて表示部１３の表示領域の外周部を囲うように構成されている。この見切り板８における光源１５の上方に位置する箇所には、実施形態１と同様、貫通孔８ａが設けられている。
【００４８】
また、加飾層３６は、実施形態２と同様、光透過性を有するカラーインクからなり、見切り板８の上面に貫通孔８ａを除いて印刷によって設けられ、時計ガラス２を通して腕時計ケース１の外部から見るように構成されている。また、文字、記号、図形などのロゴマークを表す装飾層１８は、見切り板８の上方に位置する時計ガラス２の下面に設けられている。さらに、光拡散層３５は、実施形態２と同様、ベゼル７で覆われる視野領域外のみに対応する時計ガラス２の下面にサークル状に設けられている。
【００４９】
このような腕時計においても、実施形態２と同様、時計ガラス２内に採り込まれた光が光拡散層３５によって時計ガラス２の周囲に沿って導かれながら、光拡散層３５の内周端およびベゼル７の内周端に位置する部分における時計ガラス２の上下面から放出され、この放出された光が見切り板８の上面に設けられた加飾層３６に照射されることにより、この照射された光が加飾層３６よって有色光として加飾され、この加飾された有色光によって時計モジュール６の表示部１３をその周囲から照明することができると共に、見切り板８に対応する箇所の時計ガラス２の下面に設けられた文字、記号、図形などのロゴマークを表す装飾層１８を有色光で照明して浮き上がるように表現することができ、これによっても光による装飾効果を高めることができる。
【００５０】
なお、上記実施形態４では、ベゼル７で覆われる視野領域外のみに対応する時計ガラス２の下面に光拡散層３５をサークル状に設けた場合について述べたが、これに限らず、実施形態１と同様、ベゼル７で覆われる視野領域外からベゼル７で覆われない視野領域内における表示部１３の表示領域外に亘る箇所、つまり外時計ガラス２の外周端からベゼル７の内周端よりも少し内周側に突出した位置に亘って時計ガラス２の下面に、光拡散層１６を設けた構成でも良い。このように構成しても、実施形態４と同様の作用効果があるほか、実施形態１と同様、光拡散層１６によってベゼル７で覆われない視野領域内でサークル状に発光させることができるので、より一層、加飾層３６を明るく照明することができる。
【００５１】
また、上記実施形態４では、見切り板８に対応する時計ガラス２の下面に装飾層１８を設けた場合について述べたが、これに限らず、例えば図１６〜図１８に示す変形例のように、表示領域内に位置する表示部１３の上面に装飾層１８を設けても良い。この場合、装飾層１８は、表示部１３に表示される時刻などの情報の邪魔にならない位置に設けられていれば良い。また、加飾層３６は、必ずしも見切り板８の上面に設けられている必要はなく、図１７に示すように、ベゼル７で覆われない視野領域内に位置する時計ガラス２の下面に設けられていても良い。このような構成でも、実施形態４と同様の作用効果がある。
【００５２】
また、上記実施形態１〜４およびその各変形例では、ベゼル７で覆われない視野領域内に位置する時計ガラス２の下面、または表示部１３の上面に、文字、記号、図形などのロゴマークを表す装飾層１８を設けた場合について述べたが、必ずしも時計ガラス２の下面、または表示部１３の上面に装飾層１８を設ける必要はなく、ベゼル７で覆われない視野領域内に位置する時計ガラス２の上面に装飾層１８を設けても良い。このように構成しても、実施形態１と同様、文字、記号、図形などのロゴマークである装飾層１８を浮き上がるように表現することができる。
【００５３】
また、上記実施形態１〜４およびその各変形例では、時計ガラス２を受けるためのベゼル７をサークル状に形成した場合について述べたが、このサークル状とは、枠状、環状などの形状を含むものである。
また、上記実施形態１〜４およびその各変形例では、ガラス受け部材として、時計ガラス２を受けるためのベゼル７を用いた場合について述べたが、必ずしも時計ガラス２を受けるのみでなく、表示部用のガラスを受けるガラス受け用の部材を用いた場合でも良い。
【００５４】
さらに、上記実施形態１〜４およびその各変形例では、腕時計に適用した場合について述べたが、必ずしも腕時計である必要はなく、トラベルウオッチ、目覚まし時計、置き時計、掛け時計などの各種の時計に適用することができるほか、時計に限らず、携帯電話機、携帯端末機（ＰＤＡ：パーソナル・デジタル・アシスタント）などの各種の電子機器にも広く適用することができる。
【図面の簡単な説明】
【００５５】
【図１】この発明を適用した腕時計の実施形態１における拡大正面図である。
【図２】図１のＡ−Ａ矢視における断面図である。
【図３】図２の要部を示した拡大断面図である。
【図４】図１の腕時計における要部を示した分解斜視図である。
【図５】図１の腕時計の回路構成を示したブロック図である。
【図６】図５の腕時計において光源をフラッシュ発光させる光源発光動作処理の動作フローを示した図である
【図７】この発明を適用した腕時計の実施形態２における拡大正面図である。
【図８】図７のＢ−Ｂ矢視における拡大断面図である。
【図９】図７の腕時計における要部を示した分解斜視図である。
【図１０】この発明を適用した腕時計の実施形態３における拡大正面図である。
【図１１】図１０のＣ−Ｃ矢視における拡大断面図である。
【図１２】図１０の腕時計における要部を示した分解斜視図である。
【図１３】この発明を適用した腕時計の実施形態４における拡大正面図である。
【図１４】図１３のＤ−Ｄ矢視における拡大断面図である。
【図１５】図１３の腕時計における要部を示した分解斜視図である。
【図１６】実施形態４の変形例における腕時計を示した拡大正面図である。
【図１７】図１６のＥ−Ｅ矢視における拡大断面図である。
【図１８】図１６の腕時計における要部を示した分解斜視図である。
【符号の説明】
【００５６】
１  腕時計ケース
２  時計ガラス
６  時計モジュール
７  ベゼル
８  見切り板
１３  表示部
１５  光源
１６、３５  光拡散層
１６ａ、３５ａ  開口部
１７  反射層
１８  装飾層
２０  樹脂ベゼル
２０ａ  突起部
２１  金属ベゼル
２１ａ  光透過孔
３６  加飾層
【図１】
0005029241.tif 000002
【図２】
0005029241.tif 000003
【図３】
0005029241.tif 000004
【図４】
0005029241.tif 000005
【図５】
0005029241.tif 000006
【図６】
0005029241.tif 000007
【図７】
0005029241.tif 000008
【図８】
0005029241.tif 000009
【図９】
0005029241.tif 000010
【図１０】
0005029241.tif 000011
【図１１】
0005029241.tif 000012
【図１２】
0005029241.tif 000013
【図１３】
0005029241.tif 000014
【図１４】
0005029241.tif 000015
【図１５】
0005029241.tif 000016
【図１６】
0005029241.tif 000017
【図１７】
0005029241.tif 000018
【図１８】
0005029241.tif 000019